(57)【要約】【課題】必要なデバイスのみに必要最低限の電源供給を行うことで省エネモードの効率を高めることができる画像形成装置を提供する。【解決手段】メインＣＰＵ１、メインＡＳＩＣ２の他に、省エネ制御用のサブＡＳＩＣ５を搭載し、省エネモード時にサブＡＳＩＣ５のみに電源を供給する画像形成装置。【選択図】      図１
2004249687.tif 000002
【特許請求の範囲】
【請求項１】
メインＣＰＵ、メインＡＳＩＣの他に、省エネ制御用のサブＡＳＩＣを搭載し、省エネモード時にサブＡＳＩＣのみに電源を供給することを特徴とする画像形成装置。
【請求項２】
請求項１記載の画像形成装置において、サブＡＳＩＣは省エネ制御回路を有し、拡張機能を持たない場合、省エネ制御回路以外の電源を遮断することを特徴とする画像形成装置。
【請求項３】
請求項２記載の画像形成装置において、サブＡＳＩＣは使用インターフェースの状況に応じて省エネモード時の内部クロックを停止する機能を有することを特徴とする画像形成装置。
【発明の詳細な説明】
【０００１】
【発明の属する技術分野】
本発明は、省エネ制御モードを搭載する複写機、プリンタ装置、ファクシミリ装置、複合機等の拡張機能付き画像形成装置に関するものである。
【０００２】
【従来の技術】
画像形成装置において、従来より、省エネモード時の消費電力を抑えるために、必要最低限の制御デバイスのみを動作させておくことで省エネモード時の消費電力を低くする技術がある（例えば、特許文献１参照）。
【特許文献１】特開２００１−１９１６１６公報
【０００３】
【発明が解決しようとする課題】
しかしながら、従来技術では省エネモード時に必要なデバイスのみ電源を供給することで不要なデバイスの電源供給を止めることはできるが、必要なデバイスの内部全体に電源供給されてしまうことで、デバイス内部の不必要な回路まで電源が供給されてしまう。また、従来技術では１０／１００Ｂａｓｅ−ＴＸのＩ／Ｆ回路の制御のみ考慮に入れているが、今後、ＵＳＢ２．０や無線ＬＡＮ等の様々な新規Ｉ／Ｆが搭載された場合にはデバイスの電源を切ることができなくなるという問題点がある。
本発明は、必要なデバイスのみに必要最低限の電源供給を行うことで省エネモードの効率を高めることができる画像形成装置を提供することを目的とする。
【０００４】
【課題を解決するための手段】
上記目的を達成するために、請求項１記載の発明は、メインＣＰＵ、メインＡＳＩＣの他に、省エネ制御用のサブＡＳＩＣを搭載し、省エネモード時にサブＡＳＩＣのみに電源を供給する画像形成装置を最も主要な特徴とする。
請求項２記載の発明は、請求項１記載の画像形成装置において、サブＡＳＩＣは省エネ制御回路を有し、拡張機能を持たない場合、省エネ制御回路以外の電源を遮断する画像形成装置を主要な特徴とする。
請求項３記載の発明は、請求項２記載の画像形成装置において、サブＡＳＩＣは使用インターフェースの状況に応じて省エネモード時の内部クロックを停止する機能を有する画像形成装置を主要な特徴とする。
【０００５】
【発明の実施の形態】
以下に図面に基づいて本発明の実施形態を説明する。
図１は本発明の実施の形態に係る画像形成装置の機能ブロック図である。図１において、拡張機能付き画像形成装置に搭載されるコントローラのメインＣＰＵ１は、高速なＣＰＵを使用しており、動作時は主にこのメインＣＰＵ１が制御を行う。メインＡＳＩＣ２は、主にコントローラの画像処理系の制御を行っており、ＣＰＵＩ／Ｆ、プリンタエンジンＩ／Ｆ、メモリコントローラを内蔵していてサブＡＳＩＣ５とは高速なバスにて接続されている。
プリンタエンジン３は、本装置の画像印刷出力を行うユニットである。プリンタエンジン３も高速バスにてメインＡＳＩＣ２と接続され、画像データやエンジン設定情報等のデータが送受信される。メインメモリ４は、動作時はファームウェアがその上に展開され実行される。また、印字画像をこのメモリ領域にビットマップ展開するため、大容量のメモリが搭載される。メインメモリ４も高速動作する。
サブＡＳＩＣ５は、サブＣＰＵ６、フラッシュメモリ７、省エネ制御回路８、１０／１００Ｂａｓｅ−ＴＸＩ／Ｆ９、ＵＳＢ２．０Ｉ／Ｆ１０、無線ＬＡＮＩ／Ｆ１１等を内蔵するＩ／Ｏ系の制御ＡＳＩＣである。
サブＣＰＵ６は、動作時は外部クロックから供給されるクロックで動作を行い、省エネモード時は別途供給されるクロックにて動作を行う比較的低速なＣＰＵである。フラッシュメモリ７は、省エネモード時の制御ファームウェアを内蔵しており、低消費電力なメモリである。省エネ制御回路８は、省エネモード時の内部クロック停止制御、電源供給制御、省エネ復帰制御等の制御を行っている回路である。
１０／１００Ｂａｓｅ−ＴＸＩ／Ｆ９は、ＬＡＮケーブルによりＨＵＢ１２やルータと接続するためのインターフェースであり、ＵＳＢ２．０Ｉ／Ｆ１０は、ＵＳＢケーブルによりホストＰＣ１３に接続するためのインターフェースである。無線ＬＡＮＩ／Ｆ１１は、アクセスポイント１４とインフラストラクチャモードで無線接続されるか、ホストＰＣ１３とアドホックモードにて無線接続するためのインターフェースである。
ＮＶＲＡＭ１５は、本装置のログ情報や設定情報等が格納されている。ＲＴＣ１６は、時計情報が格納されている。ＳＤカードＩ／Ｆ１７は、プリンタファームウェア、スキャナファームウェア、ＦＡＸファームウェア、各種プリンタエミュレーション等のプログラムが搭載されたＳＤカードへのＩ／Ｆ回路である。操作部Ｉ／Ｆ１８は、本装置の操作部とのＩ／Ｆ回路である。クロックジェネレータ１９は、システムクロックや他の必要クロックを供給するデバイスである。
【０００６】
次に図２のフローチャートに従って動作説明を行う。
まず、装置の電源をオンするとサブＡＳＩＣ５内のフラッシュメモリ７の領域にベクターアドレスが発行され、フラッシュメモリ７内のブートプログラムが読み込まれ、ブート動作を開始する（Ｓ１）。ブートプログラムにより、サブＡＳＩＣ５の初期設定およびメインＡＳＩＣ２の初期設定（Ｓ２）、サブＣＰＵ６の初期設定およびメインＣＰＵ１の初期設定（Ｓ３）が実行され、システムファームウェアが格納されているＳＤカードよりメインメモリ４にシステムファームウェアがダウンロードされる（Ｓ４）。ダウンロードが終了すると、メインメモリ４上のシステムファームウェアが格納されたアドレスに移り、メインメモリ４上でプログラムが実行される（Ｓ５）。
次に、拡張機能情報の判別を行い、その情報をメインメモリ４に保存する（Ｓ６）。続いて使用しているＩ／Ｆの情報をＮＶＲＡＭ１５よりダウンロードして（Ｓ７）こちらもメインメモリ４に情報を保存する。その後、スタンバイ状態に移行し（Ｓ８）、内部タイマーや電源キー押下等の省エネイベントが発生するかどうかを省エネフラグを監視して判別する（Ｓ９）。省エネフラグが立つと省エネモードに移行するが、この時、拡張機能の有無や使用Ｉ／Ｆの種類等で省エネ制御が分かれる。
拡張機能無しの画像形成装置と判別された場合（Ｓ１０ではい）、サブＡＳＩＣ５の省エネ制御回路８とコントローラ上の省エネ制御回路以外を電源遮断する（Ｓ１１）。この時、サブＣＰＵ６の電源も遮断されるため、消費電力は最も少なくなる。
【０００７】
一方、プリンタ拡張機能が有ると判断された場合には（Ｓ１０でいいえ）、使用しているＩ／Ｆを判別し（Ｓ１２）、使用しているＩ／Ｆ以外の不要ブロックの内部クロック供給を停止させる制御が働く（Ｓ１３）。この時、動作しているブロックはサブＣＰＵ６、省エネ制御回路８、使用Ｉ／Ｆ回路部のみとなる（Ｓ１４）。また、ＦＡＸのみの拡張の場合は、省エネ制御回路８とＦＡＸボードの一部を除いて電源が遮断される。省エネ移行後は（Ｓ１５）省エネ復帰トリガを監視して（Ｓ１６）復帰を待つ。復帰トリガは拡張機能の有無や使用Ｉ／Ｆにより変わる。
拡張機能無しの画像形成装置の場合、復帰トリガは電源スイッチの押下等の装置操作による。プリンタ拡張やスキャナ拡張がある場合には更に使用Ｉ／Ｆからのデータ受信にて復帰する。ＦＡＸ拡張がある場合にはサブＡＳＩＣ５に入力されているＦＡＸ受信信号の検知により復帰する。復帰時はパワーオンリセットシーケンスと同様の動作を行い、ＡＳＩＣやＣＰＵの初期設定を行い、スタンバイ状態に移行する。
【０００８】
【発明の効果】
以上説明したように、請求項１によれば、サブＡＳＩＣの省エネ制御機能により、省エネモード時においても従来より低消費電力で各インターフェース制御を行うことができる。
請求項２によれば、拡張無し時の省エネ制御機能により、最適な電源供給を行うことができ、更なる省エネ化を図ることができる。
請求項３によれば、使用インターフェースに最適な省エネ制御機能により、最適な電源供給を行うことができ、更なる省エネ化を図ることができる。
【図面の簡単な説明】
【図１】本発明の実施の形態に係る画像形成装置の機能ブロック図である。
【図２】本発明の実施の形態に係る画像形成装置における制御動作を示すフローチャートである。
【符号の説明】
１  メインＣＰＵ
２  メインＡＳＩＣ
５  サブＡＳＩＣ
【図１】
2004249687.tif 000003
【図２】
2004249687.tif 000004